(57)【要約】【課題】扉の大きさ、形状、色調などに適合する把手部材を選定し取り付けることができる。【解決手段】棒状の把手部材３と、この把手部材の一端５側に設けられる支持部材１３ａおよび他端６側に設けられる支持部材１３ｂとを備え、この支持部材１３ａ、１３ｂは把手部材３を保持する保持部１４および保持部１４に一体形成される脚部１８を有し、把手部材３は保持部１４に対して着脱可能に保持される。さらに、一方の支持部材１３ａの保持部１４は把手部材３を回動させないように係止し、他方の支持部材１３ｂの保持部１４は把手部材の長手方向８に対して調整的移動が可能になるように形成される。【選択図】        図１
2005009176.tif 000002
【特許請求の範囲】
【請求項１】
棒状の把手部材と、該把手部材の一端側と他端側に設けられる支持部材とを備え、該支持部材は前記把手部材を保持する保持部および該保持部に固定される脚部を有し、前記把手部材は前記保持部に対して着脱可能に保持されてなる取手。
【請求項２】
請求項１において、少なくとも一方の支持部材の保持部は前記把手部材を回動させないように係止し、少なくとも他方の支持部材の保持部は前記把手部材の長手方向に対して調整的移動が可能になるように形成されてなる取手。
【発明の詳細な説明】
【０００１】
【発明の属する技術分野】
本発明は、住宅やビルの扉などの被取付物に利用される取手に関するものである。
【０００２】
【従来の技術】
従来、被取付物の一つである扉に取り付けられる取手としては、たとえば透明合成樹脂で形成された把手部材の両端に、この把手部材を支持する支持部材を取り付けたものが知られている（特許文献１）。この取手は、二つの支持部材に形成された脚部間の距離に対応する孔を扉に設けて、この取手を取り付けるものである。
【０００３】
また、別の取手として、扉の表側と裏側に対向して取手が設けられるものが知られている（特許文献２）。この取手は、使用者が把持するための把持部と、この把持部の両端に固定される連結部とからなり、扉を貫通する芯棒により扉の表側と裏側に配置される連結部同士を連結するものである。
【０００４】
【特許文献１】
特開平１０−３７５４４号公報（第２頁、図１）
【特許文献２】
特開平１０−２２００８１号公報（第４頁、図２）
【０００５】
【発明が解決しようとする課題】
しかしながら、前者の取手は、透明合成樹脂で形成された把手部材の両端に、単に支持部材を取り付けるものであるから、二つの支持部材の間の距離は一定に形成される。このため取手としての大きさは常に一定であり、扉の大きさや色調などの固有の条件に対応して最適な把手部材を選定したり、その長さを替えたりすることが困難である。
【０００６】
また、後者の取手についても、扉を貫通する芯棒により扉の表側と裏側に配置される連結部同士が連結され、かつ使用者が把持するための把持部は一定の長さに形成されるものであるから、この構造のままで把持部を他のものに替えることは、把持部と連結部との間に段差が生じたり、扉に形成した芯棒の孔と孔の距離に適合しなかったりするので、把持部を適宜替えることは困難である。
【０００７】
本発明は、取手の被取付物の大きさ、形状、色調などの固有の条件に適合する把手部材を選定し取り付けることができることを課題とする。
【０００８】
【課題を解決するための手段】
上記課題を解決するため、本発明は、棒状の把手部材と、この把手部材の一端側と他端側に設けられる支持部材とを備え、支持部材は把手部材を保持する保持部およびこの保持部に固定される脚部を有し、把手部材は保持部に対して着脱可能に保持されてなることを特徴とする。
【０００９】
このようにすることにより、把手部材は保持部に対して着脱可能に保持されるので、取手の被取付物の大きさ、形状、色調などの固有の条件に適合する把手部材を選定し、保持部に保持させることができる。このことは、把手部材として長さの異なる数種類のものを準備するとともに、これら数種類の把手部材に対して支持部材は二つの共通部材と考えれば、長さの異なる把手部材に対して支持部材は二つであるので、部材数を少なくできる。
【００１０】
さらに、少なくとも一方の支持部材の保持部は把手部材を回動させないように係止し、少なくとも他方の支持部材の保持部は把手部材の長手方向に対して調整的移動が可能になるように形成されると良い。少なくとも一方の支持部材の保持部は把手部材を回動させないように係止することにより、棒状の把手部材を握ったときに把手部材は回動せず、把手部材を握る者に対して安定感を与え、使い勝手が良い。
【００１１】
さらに、支持部材は、把手部材の一端側と他端側に設けられ、かつ支持部材は保持部に固定される脚部を有するので、脚部によって取手を取り付ける被取付物に固定できる。そして、少なくとも他方の支持部材の保持部は把手部材の長手方向に対して調整的移動が可能になるように形成されることにより、被取付物に形成された取付孔と支持部材の二つの脚部の間の距離に多少の食い違いが生じても、脚部を把手部材の長手方向に調整的移動をすることにより取手を被取付物に取り付けることができる。
【００１２】
次に本発明を構成する各要件についてさらに詳しく説明する。本発明の取手は、住宅やビルの扉、洗面化粧台のキャビネット、ミラーキャビネットまたは袋戸棚などの引出しや扉、腰壁や階段の手摺など各種被取付物に取り付けられるものである。
【００１３】
把手部材は、棒状で、その断面形状は、円形をはじめ楕円形、四角形、その他の多角形あるいは板状、リブ構造状など把手に都合の良い形状であれば限定されない。把手部材の把手部と両端部の形状は異なる断面形状でも良い。たとえば、把手部材の把手部の形状を丸棒状とし、端部の形状を角棒状としても良い。
【００１４】
把手部材の材質としては、アクリル、硬質用塩化ビニル、ポリエチレン、ＡＢＳ、ポリスチレン、ポリプロピレンなどの合成樹脂、ステンレス、アルミニウム、亜鉛、銅、真鍮などの金属ないし合金、木質系材料などから選定される。合成樹脂や金属の場合には、めっきなどの表面処理を施しても良い。木質系材料の場合には塗装や化粧シートの貼着を行っても良い。
【００１５】
支持部材は、把手部材の端部を保持する保持部およびこの保持部に固定される脚部を有するものであれば、その形状は特に限定されない。少なくとも一方の保持部は把手部材を回動させないように係止する。たとえば、把手部材の端部形状が円柱形または円筒形で、これを保持または嵌合する支持部材の保持部の断面形状も円筒形にする場合には、把手部材の端部に切欠きを設け、これに係止する保持部形状とする回動係止手段を設けると良い。
【００１６】
また、少なくとも他方の支持部材の保持部は把手部材の長手方向に対して調整的移動が可能になるように形成、たとえば保持部の形状を円筒形とし、この円筒形の内側に把手部材の端部を移動可能に保持ないし嵌合させることにより、取手を扉などの被取付物に取り付け易くする。支持部材の材質としては、先に把手部材の材質として羅列した各種合成樹脂、金属、木質系材料などからその使用目的に応じて適宜選定される。
【００１７】
支持部材の脚部は、その基端側が保持部に固定されるが、保持部と脚部とは一体形成されても良い。脚部の他端側には取手を被取付物に固定するためのめねじまたはおねじを設けると良い。めねじまたはおねじ部分を別部品として形成し、この部品を脚部の他端側に埋め込んでも良い。
【００１８】
【発明の実施の形態】
以下、本発明に係る取手の一実施形態を図面に基づいて詳細に説明する。なお、図１〜３において、同一または同等部分には同一符号を付けて示す。
【００１９】
図１は、本発明に係る取手の一実施形態を示す正面図である。図２は、図１のＡ−Ａ線断面図である。図３は、図１の脚部の断面図である。取手１は、住宅やビルの扉（被取付物）に取り付けられるもので、棒状の把手部材３と、この把手部材３の一端５側に設けられる一方の支持部材１３ａおよび他端６側に設けられる他方の支持部材１３ｂとを備える。一方の支持部材１３ａおよび他方の支持部材１３ｂは、把手部材３を保持する保持部１４およびこの保持部１４に固定される脚部１８を有する。保持部１４と把手部材３とは着脱可能に保持ないし嵌合される。
【００２０】
一方の支持部材１３ａの保持部１４は円形断面の把手部材３を回動させないように係止する。図２に示すように、把手部材の一端５側は、距離Ｘだけ切り欠かかれた切欠部１０を有し、この切欠部１０は円弧と直線に囲まれた断面形状である。これに対し、一方の支持部材１３ａの保持部１４は、一端が閉塞し、他端が開口する円筒形で、一端側には把手部材の切欠部１０に対応し、かつ距離Ｘの段部１５が形成される。これにより、把手部材３の一端５側を一方の支持部材１３ａの保持部１４の内側に挿入し、把手部材の切欠部１０と保持部の段部１５とを嵌合させたとき回動しないようにすることができる。
【００２１】
また、他方の支持部材１３ｂの保持部１４は把手部材３に対して、この把手部材３の長手方向８に対して調整的移動可能になるように形成される。すなわち二つの支持部材１３ａ、１３ｂの保持部１４に把手部材３を挿入し、かつ一方の支持部材１３ａの保持部１４の内側段部１５に把手部材３の一端の切欠部１０を十分に嵌合させ停止するまで挿入した状態で、把手部材の他端６と他方の支持部材１３ｂの保持部１４の内側他端１７との隙間Ｙを、先の距離Ｘより小さく形成させる。隙間Ｙが距離Ｘより大きい場合には切欠部１０と段部１５の嵌合が外れ回動するので、隙間Ｙは、距離Ｘより小さく形成される。
【００２２】
把手部材３は、断面円形の丸棒で、その材質は、たとえばアクリル樹脂、フェノール樹脂、ＡＢＳなどの合成樹脂である。把手部材の色調は、透明または彩色の施されたものである。
【００２３】
支持部材は、把手部材３の端部を保持ないし嵌合する円筒形の保持部１４およびこの保持部１４と一体に形成される脚部１８を有する。図３に示すように、脚部１８は、保持部１４と一体的に形成され、保持部１４側に位置する基端側から漸次拡径する円錐形である。脚部の他端１９は被取付物である扉に固定できるように平坦面に形成され、かつ他端１９側に雌ねじ２２が形成されたねじ部材２０が埋め込まれる。支持部材１３ａ、１３ｂの材質は、たとえば塩化ビニル、ＡＢＳなどの硬質合成樹脂とし、表面にめっきが施されても良い。また、ねじ部材２０は、ステンレス、亜鉛、アルミなどの金属で形成されても良い。
【００２４】
以上の構造を有する本実施形態の取手１の作用について説明する。図１において、把手部材３は、保持部１４に対して着脱可能に保持されるので、取手１の扉（図示せず）の大きさ、形状、色調などの固有の条件に適合する把手部材３を選定し、保持部１４に保持ないし嵌合させることができる。このことは、把手部材３として長さの異なる数種類のものを準備するとともに、これら数種類の把手部材３に対して支持部材１３ａ、１３ｂは二つの共通部材と考えれば、長さの異なる数種類の把手部材３に対して支持部材１３ａ、１３ｂは二つであるので、部材数を少なくできる。
【００２５】
さらに、一方の支持部材１３ａの保持部１４は把手部材３を回動させないように係止するので、棒状の把手部材３を握ったときに把手部材３は回動せず、把手部材３を握る者に対して安定感を与える。
【００２６】
支持部材１３ａ、１３ｂは、把手部材の一端５側と他端６側に設けられ、かつ支持部材の脚部１８は保持部１４に一体形成されるので、二つの脚部１８を利用して扉に固定できる。さらに、他方の支持部材１３ｂの保持部１４は把手部材３の長手方向８に対して調整的移動が可能になるように形成されるので、扉に形成された取付孔同士の距離と支持部材の脚部１８間の脚部間の距離Ｚとが多少異なっても、他方の支持部材の脚部１８を把手部材の長手方向８に調整的移動をすることにより取手１を扉に取り付けることができる。
【００２７】
以上この発明を図示の実施形態について詳しく説明したが、それを以ってこの発明をそれらの実施形態のみに限定するものではなく、この発明の精神を逸脱せずして種々改変を加えて多種多様の変形をなし得ることは云うまでもない。
【００２８】
【発明の効果】
本発明によれば、把手部材は保持部に対して着脱可能に保持されるので、取手の被取付物の大きさ、形状、色調などの固有の条件に適合する把手部材を選定し取り付けることができる。
【図面の簡単な説明】
【図１】本発明に係る取手の一実施形態を示す正面図である。
【図２】図１のＡ−Ａ線断面図である。
【図３】図１の脚部の断面図である。
【符号の説明】
１  取手
３  把手部材
５  一端
６  他端
８  長手方向
１３ａ  一方の支持部材
１３ｂ  他方の支持部材
１４  保持部
１８  脚部
Ｘ  切欠部または段部の長さ
Ｙ  隙間
Ｚ  脚部間の距離
【図１】
2005009176.tif 000003
【図２】
2005009176.tif 000004
【図３】
2005009176.tif 000005